(57)【特許請求の範囲】
【請求項１】
電子市場上で回線を介して接続される端末装置からの要求に対応して商品情報および商品取引条件を提示する商品情報・取引条件提示システムにおいて、
商品に対応づけて、販売先のユーザの企業あるいは事業所に関する情報を有する当該商品の販売先に関する条件を含む当該商品の取引に関する商品取引条件を複数の販売元毎に登録する商品取引条件マスタと、
前記端末装置から商品の検索条件および前記端末装置に入力されたユーザＩＤを受信する手段と、
前記ユーザＩＤに基づき、ユーザの属する事業所を記憶した事業所マスタあるいは事業所が属する企業を記憶した企業マスタを参照して、前記ユーザＩＤが属する事業所あるいは企業を抽出する手段と、
前記商品取引条件マスタを参照して、前記販売先に関する条件に前記ユーザＩＤおよび事業所あるいは企業が合致し、前記商品取引条件に前記受信した検索条件が合致する商品および販売元に関するデータを抽出する手段と、
前記抽出した商品および販売元に関するデータを前記端末装置に送信する手段と
を備えたことを特徴とする商品情報・取引条件提示システム。
【請求項２】
コンピュータを、
前記コンピュータと回線を介して接続される端末装置から商品の検索条件および前記端末装置に入力されたユーザＩＤを受信する手段と、
前記ユーザＩＤに基づき、ユーザの属する事業所を記憶した事業所マスタあるいは事業所が属する企業を記憶した企業マスタを参照して、前記ユーザＩＤが属する事業所あるいは企業を抽出し、商品に対応づけて、販売先のユーザの企業あるいは事業所に関する情報を有する当該商品の販売先に関する条件を含む当該商品の取引に関する商品取引条件を複数の販売元毎に登録する商品取引条件マスタを参照して、前記販売先に関する条件に前記ユーザＩＤおよび事業所あるいは企業が合致し、前記商品取引条件に前記受信した検索条件が合致する商品および販売元に関するデータを抽出する手段と、
前記抽出した商品および販売元に関するデータを前記端末装置に送信する手段と
して機能させるプログラムを記録したコンピュータ読取可能な記録媒体。
【発明の詳細な説明】
【０００１】
【発明の属する技術分野】
本発明は、電子市場上で商品情報および商品取引条件を提示する商品情報・取引条件提示システムおよび記録媒体であって、電子市場上で卸売や小売取引において、商品情報および取引条件を提示・照会する商品情報・取引条件提示システムに関するものである。
【０００２】
【従来の技術】
従来、生鮮産品以外の商取引においては、セリ市場のように複数の販売元および購入者が同時に参加できる市場がなかった。このため、販売元の販売者が購入者に対して個別に商品照会を行い、取引条件を提示していた。電算機を介して行われる取引においても、販売元の販売者と購入者が１対１あるいは１対複数の取引を行っていた。
【０００３】
【発明が解決しようとする課題】
上述した従来の１対１あるいは１対複数の取引では、購入者が販売元との既存取引がないと商品の存在自体を認知できず、また、既存取引が存在しても販売元が個別に照会してこなければ商品の存在を認知できないという問題があった。
【０００４】
また、同一の商品が複数の販売元で扱われている場合、自己に有利な取引を選択するためには、複数の販売元と個別に接触し、比較して最良の販売元と商品の取引を行う必要があり、大変であるという問題もあった。
【０００５】
また、販売元にとっても購入者に対して直接に接するまでは、商品の紹介および取引条件を提示できず、販売機会の損失が生じてしまう問題があった。
上記の問題は、企業規模の小さな販売元や購入者、遠隔地域に存在する販売元や購入者に顕著であるという問題がある。
【０００６】
本発明は、これらの問題を解決するため、電子市場に商品／取引条件を予め登録しておき、商品指定に対応してＩＤをもとに該当する商品の価額情報などを検索して最良のものを提示し、ＩＤに対応した最適な商品の価額情報などを提示するシステムを実現することを目的としている。
【０００７】
【課題を解決するための手段】
図１を参照して課題を解決するための手段を説明する。
図１において、処理装置１は、プログラムに従って各種処理を行うものであって、ここでは、商品／取引条件検索手段２などから構成されるものである。
【０００８】
商品／取引条件検索手段２は、商品指定に対応して商品基礎マスタ３および商品取引条件マスタ４を検索して該当販売元の商品取引条件を検索したりなどするものである。
【０００９】
商品基礎マスタ３は、商品に関する情報を登録するものである。
商品取引条件マスタ４は、商品に対応づけて商品の取引に関する商品取引条件を登録するものである。
【００１０】
端末５は、商品基礎マスタ３および商品取引条件マスタ４などを登録するものである。
端末９は、画面上から商品が指定されたときに、商品基礎マスタ３および商品取引条件マスタ４を検索させて販売元の商品取引条件などを提示したりするものである。
【００１１】
次に、動作を説明する。
端末９が画面上から商品の指定に対応して当該商品情報を通知し、通知を受けた処理装置１の商品／取引条件検索手段２が商品基礎マスタ３および商品取引条件マスタ４を検索して該当販売元の商品取引条件を取り出して返答し、端末９の画面上に指定された商品の販売元の商品取引条件を提示するようにしている。
【００１２】
また、端末９が画面上からＩＤを入力および商品の指定に対応して当該ＩＤおよび商品情報を通知し、通知を受けた処理装置１の商品／取引条件検索手段２がＩＤおよび指定された商品をもとに商品基礎マスタ３および商品取引条件マスタ４を検索してＩＤに対応する販売先に関する販売元の商品取引条件を取り出して返答し、端末９の画面上に指定された商品のＩＤに対応する販売先に関する販売元の商品取引条件を提示するようにしている。
【００１３】
この際、ＩＤ内あるいはＩＤに対応づけて参照可能な商品取引条件を商品取引条件マスタ４に予め設定しておき、検索時に当該ＩＤをもとに参照可能な商品取引条件のうちから該当する商品取引条件を検索するようにしている。
【００１４】
従って、電子市場に商品／取引条件を予め登録しておき、商品指定に対応してＩＤをもとに該当する商品の価額情報などの商品取引条件を検索して最良のものを提示し、ＩＤに対応した最適な商品の価額情報などの商品取引条件を提示するシステムを実現することが可能となる。
【００１５】
【発明の実施の形態】
次に、図１から図１５を用いて本発明の実施の形態および動作を順次詳細に説明する。ここで、図示外の記録媒体あるいは外部記憶装置であるハードディスク装置、または、回線を介して他のシステムのハードディスク装置などから読み取ったプログラムを図１の図示外の主記憶装置にローディングして起動し、以下に説明する各種処理を行うようにしている。
【００１６】
図１は、本発明の１実施例構成図を示す。
図１において、処理装置１は、回線を介して端末５などとの間でデータの授受を行い各種処理を行うものであって、ここでは、商品／取引条件検索手段２などから構成されるものである。
【００１７】
商品／取引条件検索手段２は、商品基礎マスタ３および商品取引条件マスタ４を検索して該当販売元の商品取引条件を検索したりなどするものである（図３および図４を用いて後述する）。
【００１８】
商品基礎マスタ３は、商品に関する情報を登録するものである（図６参照）。
商品取引条件マスタ４は、商品に対応づけて商品の取引に関する商品取引条件を登録するものである（図６参照）。
【００１９】
端末５は、商品基礎マスタ３および商品取引条件マスタ４などを登録するものであって、商品／取引条件登録手段６などから構成されるものである。
商品／取引条件登録手段６は、商品に関する情報を商品基礎マスタ３および商品の取引条件に関する情報を商品取引条件マスタ４に登録するものである。
【００２０】
表示装置７は、商品登録画面などを表示するものである。
入力装置８は、商品登録画面などに各種データを入力したり、指示を入力したりなどするものである。
【００２１】
端末９は、画面上から商品が指定されたときに、商品基礎マスタ３および商品取引条件マスタ４を検索させて販売元の商品取引条件などを提示したりするものであって、商品／取引条件検索指示手段１０などから構成されるものである。
【００２２】
商品／取引条件検索指示手段１０は、入力されたＩＤおよび商品情報をもとに、処理装置１の商品／取引条件検索手段２に商品基礎マスタ３および商品取引条件マスタ４を検索させてＩＤに対応する販売先に関する販売元の商品取引条件を抽出などさせるものである。
【００２３】
表示装置１１は、検索条件指定画面などを表示するものである。
入力装置１２は、検索条件指定画面上でデータを入力したりなどするものである。
【００２４】
次に、図２ないし図１５を用いて図１の構成の動作を順次詳細に説明する。
図２は、本発明の登録フローチャートを示す。これは、商品基礎マスタ３および商品取引条件マスタ４を登録するときのフローチャートである。
【００２５】
図２において、Ｓ１は、商品基礎マスタを登録する。これは、後述する図７の商品基礎マスタ登録画面上で各項目（商品に関する情報）にキー入力し、図６の商品基礎マスタ３に示すように登録する。例えば商品名称“商品Ｃ”、商品コード“８７１０１０３０１３７２３”などを商品基礎マスタ登録画面上で入力して商品基礎マスタ３に登録する。
【００２６】
Ｓ２は、商品取引条件マスタを登録する。これは、後述する図８の商品取引条件マスタ登録画面上で各項目（商品取引条件に関する情報）にキー入力し、図６の商品取引条件マスタ４に示すように登録する。例えば販売元（販売元コード）、販売先（販売先コード）、発注単位などを商品取引条件マスタ画面上で入力して商品取引条件マスタ４に登録する。
【００２７】
以上によって、図１の端末５の商品／取引条件登録手段６が表示装置７上に表示した商品基礎マスタ登録画面（図７）上で商品に関する情報および商品取引条件マスタ登録画面（図８）上で商品取引条件に関する情報を入力し、図６に示す商品基礎マスタ３および商品取引条件マスタ４のように登録する。これにより、検索する準備ができたこととなる。
【００２８】
図３および図４は、本発明の検索フローチャートを示す。
図３において、Ｓ１１は、ログインする。これは、図１の端末９の表示装置１１上にログイン画面、例えば後述する図９のログイン画面上でＩＤなどを入力し、回線を介して処理装置１に送信してログインする。
【００２９】
Ｓ１２は、検索条件指定プログラム（ＩＤ添付）を送付する。これは、Ｓ１１でＩＤの送付を受けた処理装置１がＩＤをチェックしてＯＫのときに当該ＩＤを保持して以降の通信で当該ＩＤを相互に送付チェックし、通信相手の認証を可能にすると共に、検索条件指定プログラムを端末９に送付する。
【００３０】
Ｓ１３は、検索条件指定画面を表示する。これは、Ｓ１２で送付を受けた検索条件指定プログラムを端末９が起動し、検索条件指定画面として後述する図１０の画面を表示する。
【００３１】
Ｓ１４は、検索条件を設定する。これは、Ｓ１３で表示した図１０の検索条件指定画面上で検索条件を設定する。
Ｓ１５は、条件／ＩＤを送付する。これは、Ｓ１４で検索条件指定画面上で設定された検索条件およびＩＤを処理装置１に送付する。
【００３２】
Ｓ１６は、ＤＢ検索する。これは、Ｓ１５で送付された検索条件およびＩＤをもとに処理装置１の商品／取引条件検索手段２が商品基礎マスタ３および商品取引条件マスタ４を検索し、該当する商品情報および商品取引条件を抽出する。ここで、抽出するデータは、ＩＤ（ユーザＩＤ）が例えば企業Ｋに属する場合、販売先がオープンか企業Ｋに属するデータのみを抽出する（図５を用いて後述する）。また、図５に示す販売区分が１（販売元）の場合は、抽出条件対象が販売元となり、販売元がユーザＩＤの属する企業のみとなる。
【００３３】
Ｓ１７は、件数／ＩＤを送付する。これは、Ｓ１６の検索で抽出された件数と保持しているＩＤを一緒に端末９に送付する。
Ｓ１８は、検索件数を表示する。これは、後述する図１０の検索条件指定画面の画面右下の件数表示を行う。
【００３４】
以上のＳ１ないしＳ１８によって、端末９でユーザＩＤを入力して処理装置１にログインし、端末９で送付を受けた検索条件指定プログラムを起動して検索条件指定画面を表示し、当該検索条件指定画面上で検索条件を指定すると、検索条件およびＩＤを処理装置１に送付してＩＤをもとに検索条件に合致するデータを商品基礎マスタ３および商品取引条件マスタ４を検索して件数を抽出し、この件数の通知を受けた端末９が検索条件指定画面上に件数を表示する。これにより、検索条件およびＩＤを通知して商品基礎マスタ３および商品取引条件マスタ４を検索して該当する商品情報の件数を画面上に表示することが可能となる。
【００３５】
Ｓ１９は、該当データ／ＩＤを送付する。これは、Ｓ１６で検索されたデータ（商品情報、商品取引条件、商品イメージ（小）など）を処理装置１が端末９に送付する。
【００３６】
Ｓ２０は、商品一覧を表示する。これは、Ｓ１９で送付を受けたデータを後述する図１１の商品一覧画面に示すように表示する。この表示一覧画面には、１商品に複数の商品取引条件が存在する場合には、
・販売元（複数有り）
・提案価額、取引価額：取引価額が最も安い商品取引条件の内容
を表示する。
【００３７】
図４のＳ２１は、商品一覧より個別商品を選択する。これは、後述する図１２の商品一覧画面上の▲１▼に示すように、個別商品を選択する。
Ｓ２２は、商品イメージデータ（大）／ＩＤを送付する。
【００３８】
Ｓ２３は、商品詳細を表示する。これらＳ２２、Ｓ２３は、Ｓ２１で商品一覧画面上で選択した商品について、処理装置１から商品イメージデータ（大）およびＩＤの送付を受け、商品詳細画面（図１３）上に表示する。ここで、表示する内容は、
・商品基礎の詳細内容
・取引条件（取引条件が複数存在する場合に、一覧表示（スクロール可）可能にしている）
である。
【００３９】
Ｓ２４は、商品詳細より個別取引条件を選択する。これは、後述する図１４の商品詳細表示画面上で、▲２▼で示す個別取引条件を選択する。
Ｓ２５は、商品取引発注画面を表示する。これは、後述する図１５の商品取引条件の詳細内容を表示するための商品取引・発注画面を表示する。
【００４０】
Ｓ２６は、商品発注／ＩＤを送付する。これは、Ｓ２５で商品取引・発注画面上で選択した商品発注情報およびＩＤ（ユーザＩＤ）を処理装置１に送付し、商品の発注を行う。
【００４１】
以上のＳ１１ないしＳ１６、Ｓ１９ないしＳ２６によって、端末９でユーザＩＤを入力して処理装置１にログインし、端末９で送付を受けた検索条件指定プログラムを起動して検索条件指定画面を表示し、当該検索条件指定画面上で検索条件を指定すると、検索条件およびＩＤを処理装置１に送付してＩＤをもとに検索条件に合致するデータを商品基礎マスタ３および商品取引条件マスタ４を検索して該当するデータ（商品情報、商品取引条件、商品イメージデータ（小）など）を抽出し、抽出したデータの通知を受けた端末９が商品一覧画面を表示する。そして、この商品一覧画面上で個別商品を選択し、商品詳細画面上に商品情報の詳細および商品の詳細なイメージと商品個別取引条件を表示し、当該商品詳細画面上で個別取引条件を選択し、商品取引・発注画面を表示し、発注情報を入力後、商品発注を行う。これらにより、検索条件およびＩＤを通知して商品基礎マスタ３および商品取引条件マスタ４を検索して該当する商品情報の商品一覧表示画面を表示し、当該商品一覧画面上で商品を選択して詳細商品画面を表示して選択した後、商品取引・発注画面上で商品発注を行うことが可能となる。以下順次個別に更に詳細に説明する。
【００４２】
図５は、本発明のＩＤ情報の説明図を示す。これは、既述した図３のＳ１１のログイン時に処理装置１に通知したＩＤ（ユーザＩＤ）をもとにデータの参照権限や販売区分を決めるためのものである。
【００４３】
図５の（ａ）は、ＩＤの階層構造を模式的に示す。ここで、ＩＤ（ユーザＩＤ）は、図示のように、階層構造で情報を表現している。ここでは、企業マスタＫ、事業所マスタＫ−ａ、会員ＩＤマスタＸという３階層で表現している。
【００４４】
図５の（ｂ）は、図５の（ａ）をテーブル構造の表現を示す。ここで、企業、事業所、会員ＩＤの３階層でユーザＩＤを表現し、更に、
0003966956.tif 000002
を図示のように登録する。尚、図５の（ｂ）に示すようにＩＤに対応づけて登録する替わりに、ＩＤの数字・記号列が図示のような意味を持つように予め定義してもよい。
【００４５】
以上のようにＩＤ（ユーザＩＤ）をログイン時に端末９から処理装置１に送付することにより、以降の処理において、ＩＤをもとに相互に通信（通信時のＩＤは１回のログイン毎に異なった暗号方式で暗号化する）できると共に、ＩＤをもとにデータの参照権限や販売区分（販売先、販売元）を自動的に判別し、後述する図６のマスタから該当するデータのみを抽出することが可能となる。
【００４６】
図６は、本発明のマスタ例を示す。マスタには、ここでは、商品基礎マスタ３および商品取引条件マスタ４がある。
商品基礎マスタ３は、商品に関する情報を登録したものである。ここでは、図示のように
・商品分類：
・商品コード：
・商品名称：
・メーカ：
・発売日付：
・標準小売価額：
などを予め登録したものである。
【００４７】
商品取引条件マスタ４は、商品の取引条件に関する情報を登録したものである。ここでは、図示の下記のようにする。
0003966956.tif 000003
ここで、例えば図５のＩＤが会員ＩＤ“Ｙ”の場合には、企業“Ｋ”、事業所“Ｋ−ａ”、事業所データ参照権限“１”（自己企業事業所のみ参照可）、販売区分“０”（販売先）となるので、図６の商品取引条件マスタ４を検索し、販売先“Ｋ−ａ”と“オープン”に該当するデータとして▲３▼の矢印で示した４つを抽出する（ここで、オープンは、全ての販売先に該当する）。そして、これら抽出した４つの商品取引条件のうち、例えば取引価格が最も安いものを選択し、図１１の商品一覧画面上に商品に対応づけて商品取引条件として表示する（他の商品取引条件はスクロールや順次表示させることができる）。
【００４８】
図７は、本発明の商品基礎マスタ登録画面例を示す。これは、図６の商品基礎マスタ３を登録するための画面である。この商品基礎マスタ登録画面上で各項目にキー入力し、商品基礎マスタ３に登録する。
【００４９】
図８は、本発明の商品取引条件マスタ登録画面例を示す。これは、図６の商品取引条件マスタ４を登録するための画面である。この商品取引条件マスタ登録画面上で各項目にキー入力し、商品取引条件マスタ４に登録する。
【００５０】
図９は、本発明のログイン画面例を示す。これは、既述した図３のＳ１１のログイン時に表示する画面であって、端末９において、ユーザＩＤ（ＩＤ）、パスワードをキー入力して処理装置１に送付し、チェックを行った後、当該ＩＤを保持し以降の通信や販売先として使用するものである。
【００５１】
図１０は、本発明の検索条件指定画面例を示す。これは、既述した図３のＳ１３の検索条件指定画面例であって、検索条件を設定する画面である。
図１１は、本発明の商品一覧画面例を示す。これは、既述した図３のＳ２０の商品一覧画面例であって、検索して抽出した商品一覧画面である。
【００５２】
図１２は、本発明の商品一覧画面（マーキング）例を示す。これは、既述した図４のＳ２１の商品一覧画面上で個別商品として▲１▼を選択した状態を示す。
図１３は、本発明の商品詳細画面例を示す。これは、既述した図４のＳ２３の商品詳細画面であって、中段に商品の詳細情報および右側に商品の詳細なイメージ（大）を表示し、商品の詳細を分かりやすくしたものである。又、下段には個別取引条件を一覧表示し、比較可能としている。
【００５３】
図１４は、本発明の商品詳細画面（マーキング）例を示す。これは、既述した図４のＳ２４の商品詳細画面上で個別取引条件として▲２▼の取引条件を選択した状態を示す。
【００５４】
図１５は、本発明の商品取引・発注画面例を示す。これは、既述した図４のＳ２５の商品取引発注画面であって、商品の発注に必要な情報を設定し、発注するための画面である。
【００５５】
図１６は、本発明の記録媒体の説明図である。これは、プログラムやデータを記録する記録媒体について説明したものであって、ここでは、
▲１▼ＣＤ−ＲＯＭやフロッピィディスクなどの可搬媒体を記録媒体として使用したり、
▲２▼処理装置内のＲＯＭ、ハードディスク等のメモリを記録媒体として使用したり、
▲３▼回線を介してプログラムやデータを提供する提供者のハードディスク等を記録媒体として使用したり
する。そして、▲１▼や▲２▼では記録媒体から読み出したプログラムやデータを処理装置の主記憶にローディングし、▲３▼では記録媒体から回線を介して処理装置の主記憶にローディングし、起動し既述した各種処理を行うようにしている。
【００５６】
【発明の効果】
以上説明したように、本発明によれば、電子市場に商品／取引条件を予め登録しておき、商品指定に対応してＩＤをもとに該当する商品の価額情報などの商品取引条件を検索して最良のものを提示する構成を採用しているため、ＩＤ（ユーザＩＤ）に対応した最適な商品の価額情報などの商品取引条件を提示するシステムを実現できる。これらにより、
（１）  販売元は販売先（購入者）に対して直接に接触しなくても、商品の紹介と商品取引条件の提示が可能となり、販売機会の拡大を図ることが可能となる。
【００５７】
（２）  販売先（購入者）は既存取引のない販売元の商品情報や商品取引条件の照会が自動的にでき、更に同一商品が複数の商品取引条件で扱われている場合に、自己に有利な商品取引条件を商品一覧画面上で容易に選択が可能となる。
【００５８】
（３）  また、商品の販売元および販売先の商取引の効率化と、企業規模や地域格差を越えて商取引の機会の均等化を図ることが可能となる。
【図面の簡単な説明】
【図１】本発明の１実施例構成図である。
【図２】本発明の登録フローチャートである。
【図３】本発明の検索フローチャート（その１）である。
【図４】本発明の検索フローチャート（その２）である。
【図５】本発明のＩＤ情報の説明図である。
【図６】本発明のマスタ例である。
【図７】本発明の商品基礎マスタ登録画面例である。
【図８】本発明の商品取引条件マスタ登録画面例である。
【図９】本発明のログイン画面例である。
【図１０】本発明の検索条件指定画面例である。
【図１１】本発明の商品一覧画面例である。
【図１２】本発明の商品一覧画面（マーキング）例である。
【図１３】本発明の商品詳細画面例である。
【図１４】本発明の商品詳細画面（マーキング）例である。
【図１５】本発明の商品取引・発注画面例である。
【図１６】本発明の記録媒体の説明図である。
【符号の説明】
１：処理装置
２：商品／取引条件検索手段
３：商品基礎マスタ
４：商品取引条件マスタ
５、９：端末
６：商品／取引条件登録手段
７、１１：表示装置
８、１２：入力装置
１０：商品／取引条件検索指示手段
【図１】
0003966956.tif 000004
【図２】
0003966956.tif 000005
【図３】
0003966956.tif 000006
【図４】
0003966956.tif 000007
【図５】
0003966956.tif 000008
【図６】
0003966956.tif 000009
【図７】
0003966956.tif 000010
【図８】
0003966956.tif 000011
【図９】
0003966956.tif 000012
【図１０】
0003966956.tif 000013
【図１１】
0003966956.tif 000014
【図１２】
0003966956.tif 000015
【図１３】
0003966956.tif 000016
【図１４】
0003966956.tif 000017
【図１５】
0003966956.tif 000018
【図１６】
0003966956.tif 000019